(57)【要約】      （修正有）【課題】高温水により排泄物処理具の「ほぐれやすさ」を増大させる水洗便器の提供。【解決手段】水洗システムは、使い捨て排泄物処理具が廃棄されるもので、水洗器１１には、４０℃以上9０℃未満のある温度の温水を蓄積するフラッシュ水蓄積タンク１２が付属し、または、水洗器１１には、４０℃以上9０℃未満のある温度の温水をフラッシュする温水管が接続されている。特に、温水を徐放出し、廃棄するべき排泄物処理具を溜め内で滞留加温した後、本フラッシュすることができる。排泄物処理具は、４０℃以上9０℃未満のある温度の温水を用いたＪＩＳＰ４５０１の試験方法に準じた「ほぐれやすさ」が５００秒未満である。【選択図】図１
2020109229.tif 000002
【特許請求の範囲】
【請求項１】
使い捨て排泄物処理具が廃棄される水洗システムであって、
水洗器には、４０℃以上9０℃未満のある温度の温水を蓄積するフラッシュ水蓄積タンクが付属し、または、
水洗器には、４０℃以上9０℃未満のある温度の温水をフラッシュする温水管が接続されている、水洗システム。
【請求項２】
請求項１に記載の水洗システムであって、
温水を徐放出し、廃棄するべき排泄物処理具を溜め内で滞留加温した後、本フラッシュする、
水洗システム。
【請求項３】
請求項１または２に記載の水洗システムにおいて、
水洗器が着座敷便器である水洗システム。
【請求項４】
請求項１から３の何れか１項に記載の水洗システムに使用される排泄物処理具であって、４０℃以上9０℃未満のある温度の温水を用いたＪＩＳＰ４５０１の試験方法に準じた「ほぐれやすさ」が５００秒未満であることを特徴とする排泄物処理具。
【発明の詳細な説明】
【技術分野】
【０００１】
本発明は、水洗便器において高温便水を使用する水洗便器システムに関し、具体的には高温水により「ほぐれやすさ」が増大する排泄物処理具が使用される水洗便器システムに関する。
【背景技術】
【０００２】
従来、被服、オムツ等の排泄物処理具を高温水に浸漬してほぐし、これを廃棄する技術が知られている（特許文献１参照）。
【先行技術文献】
【特許文献】
【０００３】
【特許文献１】特表平８−５０９６５９
【発明の概要】
【発明が解決しようとする課題】
【０００４】
上記の技術では、被服、オムツ等を処理する装置について、具体的に提示されていない。
本発明の目的は、水洗便器において高温便水を使用する水洗便器システムを提供することである。
本発明の他の目的は、高温水により「ほぐれやすさ」が増大する排泄物処理具が使用される水洗便器システムを提供することである。
【課題を解決するための手段】
【０００５】
本発明は、以下を要旨とする。
（１）
使い捨て排泄物処理具が廃棄される水洗システムであって、
水洗器には、４０℃以上9０℃未満のある温度の温水を蓄積するフラッシュ水蓄積タンクが付属し、または、
水洗器には、４０℃以上9０℃未満のある温度の温水をフラッシュする温水管が接続されている、水洗システム。
（２）
（１）に記載の水洗便器システムであって、
温水を徐放出し、廃棄するべき排泄物処理具を溜め内で滞留加温した後、本フラッシュする、水洗システム。
（３）
（１）または（２）に記載の水洗システムにおいて、
水洗器が着座敷便器である水洗システム。
（４）
（１）ないし（３）の何れか１項に記載の水洗便器システムに使用される排泄物処理具であって、４０℃以上9０℃未満のある温度の温水を用いたＪＩＳＰ４５０１の試験方法に準じた「ほぐれやすさ」が５００秒未満であることを特徴とする排泄物処理具。
本発明では、使用される温水は４０℃以上9０℃未満であり、この温度の温水に排泄物処理具がほぐれることになる。、
なお、排泄物処理具は、４０℃以上９０℃未満で上記のようにほぐれるものが採用される。
本発明では、排泄物処理具の使用者等、水洗処理作業を担当する者による万が一のやけどに対する安全を考慮し、排泄物処理具として、４０℃以上７０℃未満、あるいは４０℃以上６０℃未満や、４０℃以上５０℃未満でほぐれるものを採用することができる。
本発明では、ＪＩＳＰ４５０１に準じた「ほぐれやすさ」は典型的には６００秒未満であるが、好ましくは４００秒未満、さらに好ましくは３００秒未満である。
【発明の効果】
【０００６】
本発明により、水洗便器等の水洗器において、高温水を使用する水洗システムを提供できる。
また、本発明により、高温水により「ほぐれやすさ」が増大する排泄物処理具が使用される水洗システムを提供できる。
【図面の簡単な説明】
【０００７】
【図１】図１は、温水を蓄積するフラッシュ水蓄積タンクが付属した水洗便器システムを示す図である。
【図２】図２は、温水をフラッシュする温水管が接続された水洗便器システムを示す図である。
【図３】図３は、便器に供給する水を加熱する装置を示す図である。
【図４】図４は、温水のフラッシュを時間制御する例を示す図である。
【図５】図５は、「ほぐれやすさ」を検証する例を示す図である。
【発明を実施するための最良の形態】
【０００８】
図１は本発明の水洗システムの実施形態を示す図である。
図１の水洗システム１では、使い捨て排泄物処理具をフラッシュにより水洗便器に廃棄することができる。
図１では、水洗便器１１には、４０℃以上７０℃未満の何れかの温度の温水を蓄積するフラッシュ水蓄積タンク１２が付属している。フラッシュ水蓄積タンク１２内の水の温度は、温度制御装置１２１により制御される。
【０００９】
図２は本発明の水洗システムの他の実施形態を示す図である。
図２の水洗システム１では、図１のシステムと同様、使い捨て排泄物処理具をフラッシュにより廃棄することができる。
図２では、水洗便器１１には、４０℃以上７０℃未満の何れかの温度の温水を蓄積する温水管１３が接続されている。
【００１０】
図３は、便器に供給する水を加熱する装置２を示す図である。
図３（Ａ）において、鉄製の給水管２１は蛇行して構成されており、給水管２１には加熱モジュール２２が設けられている。
図３（Ｂ）に示すように、給水管２１の管内にはラジエータ２２が内蔵されている。この例では、管軸を含む面内に細板のラジエータフィンが管内壁面から立ち上がって設けられている。
図３（Ｃ）は給水管２１の軸に垂直な加熱装置２の断面図を示し、図３（Ｄ）は給水管２１の軸に平行でかつ軸を通る加熱装置２の断面図を示している。
加熱モジュール２３はフェライト２３１とコイル２３２から構成され、コイル２３３には交流電源２４が接続され、交流電源２４からは出力周波数３０ｋHｚの電流がコイルに供給される。
給水管には渦電流が流れることでジュール損が生じるとともに、磁極が交番することでヒステリシス損が生じる。これらの損失による熱エネルギーは給水管２１を流れる水を加熱する。
給水管２１の材質，長さ，内径，管厚、供給電流の電流値，周波数、コイルの巻数等を設計パラメータとすることで適温の水を便器に供給することができる。
【００１１】
図４は、温水のフラッシュを時間制御することで使い捨て排泄物処理具を水解する（ほぐす）例を示す図である。
図４の例では、「温水によるほぐし処理」を所定時間（約７．５秒）行った後に、「本フラッシュ」が行われる（２秒）。
【００１２】
図５はＪＩＳＰ４５０１に準じた「ほぐれやすさ」の測定システムを示す図である。
図５に示すように、ほぐれやすさの試験は、水３００ｍＬ（４０℃以上、７０℃未満の所定水温：Ｔ±５℃）を入れた３００ｍＬのビーカーをマグネチックスターラー１４に載せ、回転子（直径３５ｍｍ厚さ１５ｍｍの円盤状のもの）を６００±１０ｒｐｍになるように調整する。
その中に、一辺が±２ｍｍの試験片Ｓを投入し、ストップウォッチを押す。回転子の回転数は、試験片の抵抗によって、一旦、約５００ｒｐｍ以下に下降し、試験片がほぐれるに従い回転数は上昇し、５４０ｒｍｐまで上昇した時点でストップウォッチを止め、その時間を一秒単位で測定する。ほぐれやすさの結果は、試験を５回行い、その平均値で表す。
本発明では、この時間ｔは６００秒未満であれば、配水管にフラッシュできる。また、時間Ｔは、好ましくは４００秒未満、さらに好ましくは３００秒未満とすることもできる。
【符号の説明】
【００１３】
１  水洗システム
１１  水洗便器
１２  温水蓄積タンク
１２１  温度制御装置
１３  温水管
１４  マグネチィックスターラー
２１  給水管
２２  ラジエータ
２３  加熱モジュール
２３１  フェライト
２３２  コイル
２３３  コイル
２４  交流電源
Ｓ  試験片Ｓ
【図１】
2020109229.tif 000003
【図２】
2020109229.tif 000004
【図３】
2020109229.tif 000005
【図４】
2020109229.tif 000006
【図５】
2020109229.tif 000007